(57)【要約】【課題】  本発明は標本作製作業で有機溶剤に病理組織試料用カセットが浸かっても、病理組織試料用カセット本体よりラベルが剥がれ落ちるのを効率よく阻止でき、安全で、医療事故を防止することができる病理組織試料用カセットを得るにある。【解決手段】  底面に多数個の透孔が形成された浅皿状の病理組織試料用カセット本体と、この病理組織試料用カセット本体の外側壁に、該病理組織試料用カセット本体に収納される病理組織試料を特定するためのデータがプリントされたラベルを覆うように着脱可能な取付手段で取付ける透明材製のカバーとで病理組織試料用カセットを構成している。【選択図】  図１
2010127629.tif 000002
【特許請求の範囲】
【請求項１】
底面に多数個の透孔が形成された浅皿状の病理組織試料用カセット本体と、この病理組織試料用カセット本体の外側壁に、該病理組織試料用カセット本体に収納される病理組織試料を特定するためのデータがプリントされたラベルを覆うように着脱可能な取付手段で取付ける透明材製のカバーとからなることを特徴とする病理組織試料用カセット。
【請求項２】
病理組織試料用カセット本体の少なくとも一部の外側壁は鉛筆でメモ書きできる梨子地に形成されていることを特徴とする請求項1記載の病理組織試料用カセット。
【請求項３】
取付手段はカバーの両端部寄りの背面部位に形成された一対の係合ピンと、この一対の係合ピンと係合する病理組織試料用カセット本体の側面に形成された一対の係合孔とで構成されていることを特徴とする請求項1記載の病理組織試料用カセット。
【請求項４】
取付手段は病理組織試料用カセット本体の側壁に形成されたカバー係止溝と、このカバー係止溝と着脱可能に係止するカバーに形成された係止片とで構成されていることを特徴とする請求項1記載の病理組織試料用カセット。
【請求項５】
取付手段は病理組織試料用カセット本体の側壁の上縁と下縁とに係合するカバーの上部と下部に形成された係合片で構成されていることを特徴とする請求項1記載の病理組織試料用カセット。
【請求項６】
取付手段は病理組織試料用カセット本体の側壁に形成されたラベルおよびカバーが入り込むカバー収納凹部と、このカバー収納凹部に着脱可能に係止するようにカバーに形成された係止部とで構成されていることを特徴とする請求項１記載の病理組織試料用カセット。
【発明の詳細な説明】
【技術分野】
【０００１】
本発明は患者の人体から採取した病理組織試料を収納する病理組織試料用カセットに関する。
【背景技術】
【０００２】
従来、この種の病理組織試料用カセットは臨床医によって各患者から採取された病理組織試料を収納するとともに、各患者名またはその他のデータが記載されたラベルを貼って使用されている。
【０００３】
このようにラベルが貼られた病理組織資料用カセットは、臨床医から病理検査側に移送され、病理医が病理診断するための標本作製作業を行なう場合、キシレンやアセトン等の有機溶剤に病理組織資料用カセットごと浸ける作業を行なうため、貼られたラベルが剥がれ落ちてしまうという事故が生じていた。
【特許文献１】特開２００２−３０３５６８
【発明の開示】
【発明が解決しようとする課題】
【０００４】
本発明は以上のような従来の欠点に鑑み、標本作製作業で有機溶剤に病理組織試料用カセットが浸かっても、病理組織試料用カセット本体よりラベルが剥がれ落ちるのを効率よく阻止でき、安全で、医療事故を防止することができる病理組織試料用カセットを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は底面に多数個の透孔が形成された浅皿状の病理組織試料用カセット本体と、この病理組織試料用カセット本体の外側壁に、該病理組織試料用カセット本体に収納される病理組織試料を特定するためのデータがプリントされたラベルを覆うように着脱可能な取付手段で取付ける透明材製のカバーとで病理組織試料用カセットを構成している。
【発明の効果】
【０００７】
以上の説明から明らかなように、本発明にあっては次に列挙する効果が得られる。
【０００８】
（１）底面に多数個の透孔が形成された浅皿状の病理組織試料用カセット本体と、この病理組織試料用カセット本体の外側壁に、該病理組織試料用カセット本体に収納される病理組織試料を特定するためのデータがプリントされたラベルを覆うように着脱可能な取付手段で取付ける透明材製のカバーとで構成されているので、有機溶剤に浸けても、従来のように病理組織試料用カセット本体に接着剤でラベルを貼着しているものに比べ、病理組織試料用カセット本体より、ラベルがカバーによって脱落するのを確実に防止することができる。
したがって、標本作製作業中に病理組織試料用カセット本体からラベルが脱落する事故を確実に防止でき、医療事故を防止することができる。
【０００９】
（２）前記（１）によって、ラベルを透明材製のカバーで覆うため、標本作製作業時に付着したパラフィンを除去する際に、ラベルを損傷させたりする不具合を確実に阻止することができる。
【００１０】
（３）請求項２は前記（１）、（２）と同様な効果が得られるとともに、臨床医が採取した病理組織試料を収納する病理組織試料用カセット本体の梨子地部分に鉛筆でメモ書きすることができる。
よって、より間違いを効率よく防止することができる。
【００１１】
（４）請求項３も前記（１）、（２）と同様な効果が得られるとともに、カバーを容易に病理組織試料用カセット本体に取付けることができる。
【００１２】
（５）請求項４、６は前記（１）、（２）と同様な効果が得られるとともに、ラベルを病理組織試料用カセット本体の側壁に形成されたカバー係止溝内へ挿入することができ、ラベルの脱落事故を確実に防止することができる。
【００１３】
（６）請求項５は前記（１）、（２） と同様な効果が得られるとともに、病理組織試料用カセット本体を、既存のものを用いることができ、容易に実施することができる。
【発明を実施するための最良の形態】
【００１４】
以下、図面に示す本発明を実施するための最良の形態により、本発明を詳細に説明する。
【００１５】
図１ないし図８に示す本発明を実施するための最良の第１の形態において、１は本発明の病理組織試料用カセットで、この病理組織試料用カセット１は有機溶剤に浸かるため、有機溶剤に強い材質を用いて長方形状の浅皿状に成型された病理組織試料用カセット本体２と、この病理組織試料用カセット本体２の側壁に収納される病理組織試料を特定するためのデータ３がプリントされたラベル４を覆うように着脱可能な取付手段５で取付けられる、有機溶剤に強いポリミトロアクリロやポリミトロエチレン等の透明材製のカバー６と、前記病理組織試料用カセット本体２の上部を覆う蓋７とで構成されている。
【００１６】
前記病理組織試料用カセット本体２は前方の側面は傾斜面で、鉛筆でメモ書きできるように梨子地８に形成され、底面には多数個の透孔９が形成され、前方と後方の側面の上部位置には前記蓋７を着脱可能に取付ける蓋係合孔１０、１０、１０が形成されている。  
【００１７】
前記取付手段５は前記カバー６の両端部寄りの背面に一体形成された一対の係合ピン１１、１１と、このカバー６の一対の係合ピン１１、１１と嵌合するように前記病理組織試料用カセット本体２の側壁に形成された一対の係合孔１２、１２とで構成されている。
【００１８】
前記ラベル４は有機溶剤に強いインクを用いて、データ３がプリントされたものを使用するとともに、データ３は病理組織試料用カセット本体２に収納される病理組織試料の患者の属性、患者ＩＤ、患者カルテ番号等である。
【００１９】
前記蓋７は有機溶剤に強いポリミトロアクリロやポリミトロエチレン等の合成樹脂材で、多数個の透孔１３を有する蓋本体１４と、この蓋本体１４の前方と後方の底面に一体成型された、前記蓋係合孔１０、１０、１０と着脱可能に係合する係合片１５、１５、１５とで構成されている。
【００２０】
上記構成の病理組織試料用カセット１は、臨床医が患者から採取した病理組織試料を病理組織試料用カセット本体２内へ収納し、前面の梨子地８部分に鉛筆でメモ書きする。
しかる後、メモ書きに沿ってラベル４にデータ３をプリントし、該ラベル４をカバー６で覆った状態で、カバー６の一対の係合ピン１１、１１を病理組織試料用カセット本体２の側壁の一対の係合孔１２、１２に押し込むことにより、一対の係合ピン１１、１１が一対の係合孔１２、１２に嵌合固定され、ラベル４はカバー６によって押し圧された状態で、病理組織試料用カセット本体２に固定状態で取付けられる。
なお、あらかじめデータがプリントされたラベル４をカバー６で病理組織試料用カセット本体２に取付けたものを用いて、患者から採取した病理組織試料を収納してもよい。
病理組織試料用カセット本体２内に病理組織試料が収納されると、病理組織試料用カセット本体２の開口部を蓋７で覆って、病理検査側へ移送され、標本作製作業が行なわれる。
[発明を実施するための異なる形態]
【００２１】
次に、図９ないし図４２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図９ないし図１３に示す本発明を実施するための第２の形態において、前記本発明を実施するための最良の第１の形態と主に異なる点は、病理組織試料用カセット本体２の前方の側壁にもラベル４を透明材製のカバー６を取付手段５で着脱可能に取付けられるようにした点で、このように構成した病理組織試料用カセット１Ａにしても、前記本発明を実施するための最良の第１の形態と同様な作用効果が得られるとともに、病理組織試料用カセット本体２の前壁あるいは側壁の両方、あるいはいずれか一方にラベル４をカバー６で取付けて使用することができる。
【００２３】
図１４ないし図１７に示す本発明を実施するための第３の形態において、前記本発明を実施するための最良の第１の形態と主に異なる点は複数個、本実施の形態では６個に仕切る仕切壁１６を設けた病理組織試料用カセット本体２Ａを用いるとともに、板状の一対の係合ピン１１Ａ、１１Ａと、この一対の係合ピン１１Ａ、１１Ａと係合する長孔状の一対の係合孔１２Ａ、１２Ａを用いた取付手段５Ａを用いた点で、このような取付手段５Ａを用いて構成した病理組織試料用カセット１Ｂにしても、前記本発明を実施するための最良の第１の形態と同様な作用効果が得られるとともに、同じ患者の異なる部位の病理組織試料を収納することができる。
【００２４】
図１８ないし図２１に示す本発明を実施するための第４の形態において、前記本発明を実施するための最良の第１の形態と主に異なる点は、病理組織試料用カセット本体２の側壁にラベル４とカバー６が入り込むカバー収納凹部１７を形成するとともに、このカバー収納凹部１７に押し込みによって嵌合状態で固定される寸法のカバー６Ａを用いた取付手段５Ｂを用いた点で、このような取付手段５Ｂを用いて構成した病理組織試料用カセット１Ｃにしても、前記本発明を実施するための最良の第１の形態と同様な作用効果が得られるとともに、ラベル４の脱落事故を確実に防止することができる。
【００２５】
図２２ないし図２６に示す本発明を実施するための第５の形態において、前記本発明を実施するための第４の形態と主に異なる点は、カバー収納凹部１７の両端部に係合孔１８、１８を形成するとともに、カバー６の両端部に前記係合孔１８、１８と係合する係合片１９、１９を形成した取付手段５Ｃを用いた点で、このような取付手段５Ｃを用いて構成した病理組織試料用カセット１Ｄにしても、前記本発明を実施するための第４の形態と同様な作用効果が得られるとともに、ラベル４の脱落をカバー６によって、確実に阻止することができる。
【００２６】
図２７ないし図３０に示す本発明を実施するための第６の形態において、前記本発明を実施するための第５の形態と主に異なる点は、前方が開口するアリ溝状のカバー収納凹部２０を病理組織試料用カセット本体２の側壁に形成するとともに、このカバー収納凹部２０内にスライド移動で、ラベル４とカバー６を収納することができる取付手段５Ｄを用いた点で、このような取付手段５Ｄを用いて構成した病理組織試料用カセット１Ｅにしても、前記本発明を実施するための第５の形態と同様な作用効果が得られる。
【００２７】
図３１ないし図３４に示す本発明を実施するための第７の形態において、前記本発明を実施するための第６の形態と主に異なる点は、病理組織試料用カセット本体２の一方の側壁の上下部にガイド溝２１、２１を形成するとともに、このガイド溝２１、２１と係合する係合片２２、２２をカバーの両側端部に一体成形した取付手段５Ｅを用いた点で、このような取付手段５Ｅを用いて構成した病理組織試料用カセット１Ｆにしても、前記本発明を実施するための第６の形態と同様な作用効果が得られる。
【００２８】
図３５ないし図３８に示す本発明を実施するための第８の形態において、前記本発明を実施するための第７の形態と主に異なる点は、カバー６の両側端部に病理組織試料用カセット本体２の一方の側壁２ａの上下線部と係合させることができる係合片２３、２３を形成した取付手段５Ｆを用いた点で、このような取付手段５Ｆを用いて構成した病理組織試料用カセット１Ｇにしても、前記本発明を実施するための第７の形態と同様な作用効果が得られるとともに、既存の病理組織試料用カセット本体をそのまま使用することができ、容易に製造することができる。
【００２９】
図３９ないし図４２に示す本発明実施するための第９の形態において、前記本発明を実施するための第８の形態と主に異なる点は、カバー６の上側両端部に係合片２４、２４を形成した取付手段５Ｇを用いた点で、このような取付手段５Ｇを用いて構成した病理組織試料用カセット１Ｈにしても、前記本発明を実施するための第８の形態と同様な作用効果が得られる。
【産業上の利用可能性】
【００３０】
本発明は病理組織試料用カセットを製造する産業で利用される。
【図面の簡単な説明】
【００３１】
【図１】本発明を実施するための最良の第１の形態の分解斜視図。
【図２】本発明を実施するための最良の第１の形態の正面図。
【図３】本発明を実施するための最良の第１の形態の背面図。
【図４】本発明を実施するための最良の第１の形態の平面図。
【図５】本発明を実施するための最良の第１の形態の底面図。
【図６】本発明を実施するための最良の第１の形態の右側面図。
【図７】本発明を実施するための最良の第１の形態の左側面図。
【図８】図４の８−８線に沿う断面図。
【図９】本発明を実施するための第２の形態の分解斜視図。
【図１０】本発明を実施するための第２の形態の斜視図。
【図１１】図１０の１１−１１線に沿う断面図。
【図１２】図１０の１２−１２線に沿う断面図。
【図１３】本発明を実施するための第２の形態の底面図。
【図１４】本発明を実施するための第３の形態の分解斜視図。
【図１５】本発明を実施するための第３の形態の斜視図。
【図１６】図１５の１６−１６線に沿う断面図。
【図１７】図１５の１７−１７線に沿う断面図。
【図１８】本発明を実施するための第４の形態の分解斜視図。
【図１９】本発明を実施するための第４の形態の斜視図。
【図２０】図１９の２０−２０線に沿う断面図。
【図２１】図１９の２１−２１線に沿う断面図。
【図２２】本発明を実施するための第５の形態の分解斜視図。
【図２３】本発明を実施するための第５の形態の斜視図。
【図２４】図２３の２４−２４線に沿う断面図。
【図２５】図２３の２５−２５線に沿う断面図。
【図２６】図２３の２６−２６線に沿う断面図。
【図２７】本発明を実施するための第６の形態の分解斜視図。
【図２８】本発明を実施するための第６の形態の斜視図。
【図２９】図２８の２９−２９線に沿う断面図。
【図３０】図２８の３０−３０線に沿う断面図。
【図３１】本発明を実施するための第７の形態の分解斜視図。
【図３２】本発明を実施するための第７の形態の斜視図。
【図３３】図３２の３３−３３線に沿う断面図。
【図３４】図３２の３４−３４線に沿う断面図。
【図３５】本発明を実施するための第８の形態の分解斜視図。
【図３６】本発明を実施するための第８の形態の斜視図。
【図３７】図３６の３７−３７線に沿う断面図。
【図３８】図３６の３８−３８線に沿う断面図。
【図３９】本発明を実施するための第９の形態の分解斜視図。
【図４０】本発明を実施するための第９の形態の斜視図。
【図４１】図４０の４１−４１線に沿う断面図。
【図４２】図４０の４２−４２線に沿う断面図。
【符号の説明】
【００３２】
１、       
１Ａ、１Ｂ、１Ｃ、１Ｄ、１Ｅ、１Ｆ、１Ｇ、１Ｈ：病理組織試料用カセット、
２、２Ａ：病理組織試料用カセット本体、
３：データ、                  ４：ラベル、            
５、５Ａ、５Ｂ、５Ｃ、５Ｄ、５Ｅ、５Ｆ、５Ｇ：取付手段、        
６、６Ａ：カバー、            ７：蓋、
８：梨子地、                  ９：透孔、
１０：蓋係合孔、              １１、１１Ａ：係合ピン、
１２、１２Ａ：係合孔、        １３：透孔、
１４：蓋本体、                １５：係合片、
１６：仕切壁、                １７：カバー収納凹部、
１８：係合孔、                １９：係合片、
２０：カバー収納凹部、        ２１：ガイド溝、
２２：係合片、                ２３：係合片、
２４：係合片。
【図１】
2010127629.tif 000003
【図２】
2010127629.tif 000004
【図３】
2010127629.tif 000005
【図４】
2010127629.tif 000006
【図５】
2010127629.tif 000007
【図６】
2010127629.tif 000008
【図７】
2010127629.tif 000009
【図８】
2010127629.tif 000010
【図９】
2010127629.tif 000011
【図１０】
2010127629.tif 000012
【図１１】
2010127629.tif 000013
【図１２】
2010127629.tif 000014
【図１３】
2010127629.tif 000015
【図１４】
2010127629.tif 000016
【図１５】
2010127629.tif 000017
【図１６】
2010127629.tif 000018
【図１７】
2010127629.tif 000019
【図１８】
2010127629.tif 000020
【図１９】
2010127629.tif 000021
【図２０】
2010127629.tif 000022
【図２１】
2010127629.tif 000023
【図２２】
2010127629.tif 000024
【図２３】
2010127629.tif 000025
【図２４】
2010127629.tif 000026
【図２５】
2010127629.tif 000027
【図２６】
2010127629.tif 000028
【図２７】
2010127629.tif 000029
【図２８】
2010127629.tif 000030
【図２９】
2010127629.tif 000031
【図３０】
2010127629.tif 000032
【図３１】
2010127629.tif 000033
【図３２】
2010127629.tif 000034
【図３３】
2010127629.tif 000035
【図３４】
2010127629.tif 000036
【図３５】
2010127629.tif 000037
【図３６】
2010127629.tif 000038
【図３７】
2010127629.tif 000039
【図３８】
2010127629.tif 000040
【図３９】
2010127629.tif 000041
【図４０】
2010127629.tif 000042
【図４１】
2010127629.tif 000043
【図４２】
2010127629.tif 000044